【手続補正書】
【提出日】平成26年6月30日(2014.6.30)
【手続補正１】
【補正対象書類名】明細書
【補正対象項目名】０１７６
【補正方法】変更
【補正の内容】
【０１７６】
本発明の様々な修正及び変更は、本発明の範囲及び趣旨から逸脱せずに当該技術分野の当業者に明らかとであり、本発明は、ここに記載された例示的な実施形態に限定されないことが理解されるべきである。例えば、１つの開示実施形態の特徴は、別に記載のない限り、他の開示実施形態全てにも適用され得ることを、読者は推定すべきである。また、本明細書において参照された全ての米国特許、公開特許出願、並びに他の特許及び非特許文書は、それらが上述の開示に矛盾しない範囲において、参照によって全てが組み込まれることが理解されるべきである。
本発明はまた、以下の項目１〜３３の内容を包含する。
（１）
複合位相差フィルムであって、
第１の光の位相差をもたらす第１フィルムであって、前記第１フィルムは、書き込み波長を含む光に暴露された際に、前記第１フィルムの構造的一体性を維持したままで、前記第１の光の位相差を第３の光の位相差に変えるのに十分な量で前記第１フィルムを吸収加熱するのに好適な第１吸収特性を有する、第１フィルムと、
第２の光の位相差をもたらす第２フィルムであって、前記第２フィルムは、書き込み波長を含む光に暴露された際に、前記第２フィルムの構造的一体性を維持したままで、前記第２の光の位相差を第４の光の位相差に変えるのに十分な量で前記第２フィルムを吸収加熱するのに好適な第２吸収特性を有する、第２フィルムと、
前記第１フィルムと前記第２フィルムとの間に配置された第１遮蔽層であって、前記書き込み波長の光を少なくとも部分的に遮蔽するように適合された第１遮蔽層と、を備える、複合位相差フィルム。
（２）
前記第１の光の位相差及び前記第２の光の位相差が実質的に同じである、項目１に記載のフィルム。
（３）
前記第１の光の位相差及び前記第２の光の位相差が実質的に異なる、項目１に記載のフィルム。
（４）
前記第１の光の位相差が１／２波長位相差であり、前記第２の光の位相差が１／４波長位相差である、項目３に記載のフィルム。
（５）
前記第３の光の位相差が、前記第１の光の位相差よりも小さく、前記第４の光の位相差が前記第２の光の位相差よりも小さい、項目１に記載のフィルム。
（６）
前記第１フィルムが第１進相軸を有し、前記第２フィルムが第２進相軸を有し、前記第１進相軸及び前記第２進相軸は実質的に平行である、項目１に記載のフィルム。
（７）
前記第１フィルム及び前記第２フィルムが、前記複合フィルムの内部層である、項目１に記載のフィルム。
（８）
第５の光の位相差をもたらす第３フィルムであって、前記第３フィルムは、書き込み波長を含む光に暴露された際に、前記第３フィルムの構造的一体性を維持したままで、前記第５の光の位相差を第６の光の位相差に変えるのに十分な量で前記第３フィルムを吸収加熱するのに好適な第３吸収特性を有する、第３フィルムと、
前記第３フィルムと、前記第１及び第２フィルムのうちの少なくとも１つとの間に配置された第２遮蔽層と、を更に備える、項目１に記載のフィルム。
（９）
前記第１遮蔽層が反射型ＳＴＯＦフィルムを含む、項目１に記載のフィルム。
（１０）
複合フィルムであって、
第１の光の位相差をもたらす位相差フィルムと、
光学フィルムであって、前記位相差フィルムによって伝播された少なくとも一部の光が、前記光学フィルムに衝突するように前記位相差フィルムに接続され、第１の反射特性をもたらす、光学フィルムと、を備え、
前記位相差フィルムは、第１光ビームに暴露された際に、前記光学フィルムの前記第１反射特性を変えることなく、かつ、前記位相差フィルムの構造的一体性を維持したままで、前記第１の光の位相差を第２の光の位相差に変えるのに十分な量で、前記位相差フィルムを吸収加熱するのに好適な第１吸収特性を有し、
前記光学フィルムは、第２光ビームに暴露された際に、前記位相差フィルムの前記第１の光の位相差を変えることなく、前記第１の反射特性を第２の反射特性に変えるのに十分な量で前記光学フィルムを吸収加熱するのに好適な第２吸収特性を有する、複合フィルム。
（１１）
前記第２吸収特性が、前記第２光ビームに暴露された際に、前記光学フィルムの構造的一体性を維持したままで、前記第１の反射特性を前記第２の反射特性に変えるのに十分な量で前記光学フィルムを吸収加熱するのに好適である、項目１０に記載のフィルム。
（１２）
前記光学フィルムが、前記第１反射特性をもたらすために、強め合う干渉又は弱め合う干渉によって光を選択的に反射するように配置された第１群のマイクロ層を含む、項目１０に記載のフィルム。
（１３）
前記第１群のマイクロ層が前記複合フィルムの内部にある、項目１２に記載のフィルム。
（１４）
前記光学フィルムが混合層を含み、少なくとも第１材料及び第２材料は前記混合層内で別個の第１相及び第２相に配列されている、項目１０に記載のフィルム。
（１５）
前記第１相及び前記第２相のうちの少なくとも１つが連続相であり、かつ複屈折性である、項目１４に記載のフィルム。
（１６）
前記光学フィルム及び前記位相差フィルムが、共押出ポリマーフィルムの構成要素である、項目１０に記載のフィルム。
（１７）
前記位相差フィルムが、前記共押出ポリマーフィルムの内部層である、項目１６に記載のフィルム。
（１８）
パターン化位相差フィルムを作製する方法であって、
第１の光の位相差をもたらす第１フィルムと、第２の光の位相差をもたらす第２フィルムと、を含む複合位相差フィルムであって、前記第２フィルムは、前記第１フィルムによって伝播された少なくとも一部の光が、前記第２フィルムに衝突するように配置される、複合位相差フィルムを設けることと、
前記複合位相差フィルムにおいて第１光ビームを方向付けて、前記第２の光の位相差を実質的に変えることなく、前記第１の光の位相差を第３の光の位相差に変えることと、
前記複合位相差フィルムにおいて第２光ビームを方向付けて、前記第１の光の位相差を実質的に変えることなく、前記第２の光の位相差を第４の光の位相差に変えることと、を含む、方法。
（１９）
前記複合位相差フィルムにおいて第１光ビームを方向付けることが、第１ゾーンにおいて前記第１フィルムを選択的に加熱して、前記第１ゾーンにおいて前記第１の光の位相差を前記第３の光の位相差に変え、前記複合位相差フィルムにおいて第２光ビームを方向付けることが、前記第１ゾーンとは異なる第２ゾーンにおいて前記第２フィルムを選択的に加熱し、前記第２ゾーンにおいて前記第２の光の位相差を前記第４の光の位相差に変える、項目１８に記載の方法。
（２０）
前記フィルムが、異なる第１、第２、及び第３フィルムの位相差を前記第１ゾーン及び前記第２ゾーンの異なる部分で呈するように、前記第１ゾーン及び前記第２ゾーンが部分的に重なり合う、項目１９に記載の方法。
（２１）
前記第１光ビームが書き込み波長を含み、前記第２光ビームも前記書き込み波長を含み、前記複合位相差フィルムが、前記書き込み波長の光を少なくとも部分的に遮蔽する遮蔽層を含む、項目１８に記載の方法。
（２２）
前記遮蔽層がＳＴＯＦフィルムを含む、項目２１に記載の方法。
（２３）
前記第１の光の位相差及び前記第２の光の位相差が実質的に同じである、項目１８に記載の方法。
（２４）
前記第１の光の位相差及び前記第２の光の位相差が実質的に異なる、項目１８に記載の方法。
（２５）
前記第１の光の位相差が１／２波長位相差であり、前記第２の光の位相差が１／４波長位相差である、項目１８に記載の方法。
（２６）
前記第３の光の位相差が前記第１の光の位相差よりも小さく、前記第４の光の位相差が前記第２の光の位相差よりも小さい、項目１８に記載の方法。
（２７）
前記第３の光の位相差及び前記第４の光の位相差のうちの少なくとも１つが、実質的にゼロ位相差である、項目１８に記載の方法。
（２８）
パターン化フィルムを作製する方法であって、
光学フィルム及び位相差フィルムを含む複合フィルムを設けることであって、前記光学フィルム及び位相差フィルムは、前記位相差フィルムによって伝播された少なくとも一部の光が、前記光学フィルムに衝突するように配置され、前記光学フィルムは第１の反射特性をもたらし、前記位相差フィルムは第１の光の位相差をもたらす、複合フィルムを設けることと、
前記複合フィルムにおいて第１光ビームを方向付けて、第１ゾーンにおいて前記第１の光の位相差を実質的に変えることなく、前記第１ゾーンにおいて前記第１の反射特性を異なる第２の反射特性に変えることと、
前記フィルムにおいて第２光ビームを方向付けて、第２ゾーンにおいて前記第１の反射特性を実質的に変えることなく、前記第２ゾーンにおいて前記第１の光の位相差を異なる第２の位相差に変えることと、を含む、方法。
（２９）
前記複合フィルムを設けることが、第１及び第２ポリマー材料を共押出することを含む、項目２８に記載の方法。
（３０）
前記光学フィルムが、前記第１反射特性をもたらすように、強め合う干渉又は弱め合う干渉によって光を選択的に反射するように配置された第１群のマイクロ層を含む、項目２８に記載の方法。
（３１）
前記位相差フィルムが、前記複合フィルムの内部層である、請求２８に記載の方法。
（３２）
前記光学フィルムが、別個の第１相及び第２相に配列された少なくとも第１材料及び第２材料を内部に有する混合層を含み、前記第１の反射特性は、第１の拡散反射特性である、項目２８に記載の方法。
（３３）
前記複合位相差フィルムにおいて第３光線を方向付けて、前記複合層の位相に対する前記遮蔽層の寄与を実質的に除去することを更に含む、項目２２に記載の方法。
【手続補正２】
【補正対象書類名】特許請求の範囲
【補正対象項目名】全文
【補正方法】変更
【補正の内容】
【特許請求の範囲】
【請求項１】
第１及び第２の略対向する面を有する複合位相差フィルムであって、
第１の光の位相差をもたらす第１フィルムであって、前記第１フィルムは、書き込み波長を含む第１光ビームに暴露された際に、第２フィルムの第２の光の位相差を変えることなく前記第１フィルムの構造的一体性を維持したままで、前記第１の光の位相差を第３の光の位相差に変えるのに十分な量で前記第１フィルムを吸収加熱するのに好適な第１吸収特性を有する、第１フィルムと、
前記第２の光の位相差をもたらす前記第２フィルムであって、前記第２フィルムは、書き込み波長を含む第２光ビームに暴露された際に、前記第１フィルムの前記第１の光の位相差を変えることなく前記第２フィルムの構造的一体性を維持したままで、前記第２の光の位相差を第４の光の位相差に変えるのに十分な量で前記第２フィルムを吸収加熱するのに好適な第２吸収特性を有する、前記第２フィルムと、
前記第１フィルムと前記第２フィルムとの間に配置された第１遮蔽層であって、前記書き込み波長の光を少なくとも部分的に遮蔽するように適合された第１遮蔽層と、を備え、
前記第１光ビーム及び第２光ビームは、前記複合位相差フィルムの同じ面に入射する、
複合位相差フィルム。
【請求項２】
第５の光の位相差をもたらす第３フィルムであって、前記第３フィルムは、書き込み波長を含む第３光ビームに暴露された際に、前記第１フィルムの第１の光の位相差と前記第２フィルムの第２の光の位相差とを変えることなく前記第３フィルムの構造的一体性を維持したままで、前記第５の光の位相差を第６の光の位相差に変えるのに十分な量で前記第３フィルムを吸収加熱するのに好適な第３吸収特性を有する、第３フィルムと、
前記第３フィルムと、前記第１及び第２フィルムのうちの少なくとも１つとの間に配置された第２遮蔽層と、を更に備え、
前記第１光ビーム、第２光ビーム、及び第３光ビームが、前記複合位相差フィルムの同じ面に入射する、
請求項１に記載のフィルム。
【請求項３】
複合フィルムであって、
第１の光の位相差をもたらす位相差フィルムと、
光学フィルムであって、前記位相差フィルムによって伝播された少なくとも一部の光が、前記光学フィルムに衝突するように前記位相差フィルムに接続され、第１の反射特性をもたらす、光学フィルムと、を備え、
前記位相差フィルムは、第１光ビームに暴露された際に、前記光学フィルムの前記第１反射特性を変えることなく、かつ、前記位相差フィルムの構造的一体性を維持したままで、前記第１の光の位相差を第２の光の位相差に変えるのに十分な量で、前記位相差フィルムを吸収加熱するのに好適な第１吸収特性を有し、
前記光学フィルムは、第２光ビームに暴露された際に、前記位相差フィルムの前記第１の光の位相差を変えることなく、前記第１の反射特性を第２の反射特性に変えるのに十分な量で前記光学フィルムを吸収加熱するのに好適な第２吸収特性を有し、
前記第１光ビーム及び第２光ビームが、前記複合フィルムの同じ面に入射する、
複合フィルム。
【請求項４】
パターン化位相差フィルムを作製する方法であって、
第１の光の位相差をもたらす第１フィルムと、第２の光の位相差をもたらす第２フィルムと、を含む複合位相差フィルムであって、前記第２フィルムは、前記第１フィルムによって伝播された少なくとも一部の光が、前記第２フィルムに衝突するように配置される、複合位相差フィルムを設けることと、
前記複合位相差フィルムにおいて第１光ビームを方向付けて前記第１フィルムを選択的に加熱して、前記第２の光の位相差を実質的に変えることなく、前記第１の光の位相差を第３の光の位相差に変えることと、
前記複合位相差フィルムにおいて第２光ビームを方向付けて前記第２フィルムを選択的に加熱して、前記第１の光の位相差を実質的に変えることなく、前記第２の光の位相差を第４の光の位相差に変えることと、を含み、
前記第１光ビームが書き込み波長を含み、前記第２光ビームも前記書き込み波長を含み、前記複合位相差フィルムが、前記書き込み波長を少なくとも部分的に遮蔽する遮蔽層を含み、
前記第１光ビーム及び第２光ビームが、前記複合位相差フィルムの同じ面に入射する、
方法。
【請求項５】
パターン化フィルムを作製する方法であって、
光学フィルム及び位相差フィルムを含む複合フィルムを設けることであって、前記光学フィルム及び位相差フィルムは、前記位相差フィルムによって伝播された少なくとも一部の光が、前記光学フィルムに衝突するように配置され、前記光学フィルムは第１の反射特性をもたらし、前記位相差フィルムは第１の光の位相差をもたらす、複合フィルムを設けることと、
前記複合フィルムにおいて第１光ビームを方向付けて、第１ゾーンにおいて前記第１の光の位相差を実質的に変えることなく、前記第１ゾーンにおいて前記第１の反射特性を異なる第２の反射特性に変えることと、
前記フィルムにおいて第２光ビームを方向付けて、第２ゾーンにおいて前記第１の反射特性を実質的に変えることなく、前記第２ゾーンにおいて前記第１の光の位相差を異なる第２の位相差に変えることと、を含み、
前記第１光ビーム及び第２光ビームが、前記複合フィルムの同じ面に入射する、
方法。